(57)【要約】【課題】  送風ファン台数の異なる多様な機種が展開されても、仕切板ブロックの組み合わせで対応することができ、これによりコスト低減を図ることのできるダクト型空気調和機を提供することを目的とする。【解決手段】  仕切板３はプレス板金からなり、ファンモータブロック１２と、第一仕切板ブロック１３と、第二仕切板ブロック１４と、第三仕切板ブロック１５とからなる複数のブロックにより構成され、これらの間に、フランジ部１６を備えた送風ファンユニット８が配置されるようになっている。送風ファンの台数が異なる機種においては、フランジ部１６及び第一仕切板ブロック１３から第三仕切板ブロック１５までの組み合わせを変えて対応する。【選択図】図２
2011094890.tif 000002
【特許請求の範囲】
【請求項１】
吸込口と吹出口とを備えた筐体内を仕切板により、送風ファンを収納した送風機室と、熱交換器を収納した熱交換器室とに区画し、前記仕切板に、前記送風ファンを駆動するファンモータを固定するとともに、前記送風ファンを固定してなるダクト型空気調和機において、
前記仕切板が、前記ファンモータを固定するファンモータブロックと、前記送風ファンと同送風ファンを固定したフランジ部とからなる送風ファンユニットの前記フランジ部と、複数の仕切板ブロックとから構成されることを特徴とするダクト型空気調和機。
【請求項２】
前記複数の仕切板ブロックが、夫々、形状と横幅の異なる仕切板ブロックからなることを特徴とする請求項１記載のダクト型空気調和機。
【請求項３】
前記送風ファンの台数に応じて、前記フランジ部と前記ファンモータブロックと前記複数の仕切板ブロックの組み合わせを適宜変更することにより、前記仕切板を構成することを特徴とする請求項１乃至請求項２に記載のダクト型空気調和機。
【発明の詳細な説明】
【技術分野】
【０００１】
本発明は、ダクト型空気調和機に関わり、より詳細には、仕切板の構成に関する。
【背景技術】
【０００２】
建屋の天井空間内に設置され、室内熱交換器およびファンを収容して構成された本体に、吹出ダクトを接続したダクト型空気調和機が知られている。ダクト型空気調和機にはパネル仕様型とダクト仕様型とがあり、例えば図６で示す空気調和機３０はダクト仕様型であり、建屋の天井面５０に取付けられた複数の吊ボルト３２に固定された本体３１と、室内の天井面５１に、吸込口３４となる一端を開口し、他端を本体３１に接続した吸込ダクト３５と、一端を本体３１に接続し、吹出口３６となる他端を室内の天井面５１に開口した吹出ダクト３７とから構成され、本体３１には、制御基板等を収納した電装品箱３３が付設されている。
【０００３】
本体３１は、互いに対向配置されて四角枠形状に設けられた側板と、底板とからなる上面が開放された箱体と、同箱体の開放された上面を覆う天板とからなり、これら側板と天板の内側あるいは外側表面には結露を防止する断熱材が貼着されている。本体３１内は、後述する仕切板４０により送風機室と、熱交換器室とに区画されており、吸込ダクト３５側には、複数の送風ファンと、同送風ファンを駆動する仕切板に固定されたファンモータとが収納された送風機室が形成され、吹出ダクト３７側には、熱交換器と、同熱交換器から滴下する凝縮水を貯留するドレンパンとを収納した熱交換器室とが形成されている。
【０００４】
吸込口３４から吸込まれた空気は吸込ダクト３５を介して本体３１内の送風機室に吸引され、送風ファンにより、熱交換器室に送出され、熱交換器を通過して冷媒と熱交換される。熱交換された空気は、吹出ダクト３７を介して吹出口３６から室内に送出されるようになっている。
【０００５】
ダクト型空気調和機は、送風能力あるいは冷暖房能力の相違により筐体のサイズが同等でも送風機室に収納する送風ファンの台数を異ならせる場合がある。あるいは上記した電装品箱を筐体内に内蔵させるような場合、送風ファンの位置を移動させる場合もある。
【０００６】
上記したように送風ファンの台数を異ならせる場合、仕切板には送風ファンのケーシングに設けられた送出口が挿通する開口部を設ける必要がある関係上、送風ファンの台数が異なると仕切板に設けられる開口部の個数も異ならせる必要がある。このため、送風ファンの台数が異なる場合、例えば、図６（Ｂ）、図６（Ｃ）及び図６（Ｄ）に示すように、送風ファンの台数に併せて複数種類の仕切板を作成する必要が生じていた。図６（Ｂ）で示す仕切板４０は、送風ファンが２台の場合に適用され、中央部に複数の螺子孔を穿設したファンモータ取付部４０ｂが設けられ、同ファンモータ取付部４０ｂの左右に１個づつ、送風ファンケーシングの送出口が挿通する開口部４０ａが設けられている。
【０００７】
送風ファンの台数が３台の場合には、図６（Ｃ）に示すように、ファンモータ取付部４１ｂを挟んで、一方に送風ファンケーシングの送出口が挿通する開口部４１ａが１個、開口され、他方に開口部４１ａが２個、開口されている。また、送風ファンの台数が４台の場合には図６（Ｄ）に示すように、ファンモータ取付部４２ｂを挟んで、左右に２個づつの開口部４２ａが設けられるようになっている。
【０００８】
しかしながら、仕切板４０、仕切板４１及び仕切板４２のように、送風ファンの台数に合わせて仕切板を複数種類、作成することは、大型のプレス金型もそれに合わせて複数台、必要となりコスト上昇を招くとともに、形状が大きい仕切板を保管する保管スペースも広く必要となり、また、多種類の仕切板を保管する保管作業の煩雑化を招いていた。これらに対処するため、送風ファン台数の異なる多機種が展開されてもコスト上昇を招かず、保管が容易に行える方策が望まれていた。
【先行技術文献】
【特許文献】
【０００９】
【特許文献１】特開２０００−２７４７２８号（４頁、図５）
【発明の概要】
【発明が解決しようとする課題】
【００１０】
本発明は、上記問題点に鑑み、送風ファン台数の異なる機種が展開されても、フランジ部を備えた送風ファンユニットと、ファンモータブロックと、複数の仕切板ブロックとを適宜、組み合わせることにより送風ファンの台数にあわせて、その都度、仕切板を形成することができ、これにより送風ファンの台数に応じて夫々異なる仕切板を製作することと、大型のプレス金型が不要となりコスト低減が図れるとともに、仕切板の保管スペース及び保管作業の煩雑さを低減できるようになっている。
【課題を解決するための手段】
【００１１】
本発明は、吸込口と吹出口とを備えた筐体内を仕切板により、送風ファンを収納した送風機室と、熱交換器を収納した熱交換器室とに区画し、前記仕切板に、前記送風ファンを駆動するファンモータを固定するとともに、前記送風ファンを固定してなるダクト型空気調和機において、前記仕切板が、前記ファンモータを固定するファンモータブロックと、前記送風ファンと同送風ファンを固定したフランジ部とからなる送風ファンユニットの前記フランジ部と、複数の仕切板ブロックとから構成されるようになっている。
【００１２】
また、前記複数の仕切板ブロックが、夫々、形状と横幅の異なる仕切板ブロックから構成されるようになっている。
【００１３】
また、前記送風ファンの台数に応じて、前記フランジ部と前記ファンモータブロックと前記複数の仕切板ブロックの組み合わせを適宜変更することにより、前記仕切板を構成するようになっている。
【発明の効果】
【００１４】
請求項１の発明によれば、前記ファンモータを固定するファンモータブロックと、前記送風ファンと同送風ファンを固定したフランジ部とからなる送風ファンユニットの前記フランジ部と、複数の仕切板ブロックとから、ダクト型空気調和機本体内の送風機室と熱交換器室とを区画する仕切板が仕様に応じて構成できるようになっている。
【００１５】
請求項２記載の発明によれば、形状と横幅の異なる複数の仕切板ブロックを用いることにより、送風ファンの台数に応じて、仕切板の幅寸法を変更することなく対応できるようになっている。
【００１６】
請求項３記載の発明によれば、送風ファンの台数及び多様な仕様に応じて、仕切板を自在に構成することができるようになっている。
【図面の簡単な説明】
【００１７】
【図１】本発明によるダクト型空気調和機の分解斜視図と断面図である。
【図２】仕切板に３台の送風ファンを固定した状態を示す斜視図である。仕切板を示す斜視図である。
【図３】送風ファンユニットを示す斜視図である。
【図４】仕切板ブロックを示す斜視図である。
【図５】（Ａ）送風ファンの台数が４台の場合の仕切板の構成を示す斜視図である。  （Ｂ）送風ファンの台数が２台の場合の仕切板の構成を示す斜視図である。
【図６】（Ａ）は従来のダクト型空気調和機を示す説明図である。  （Ｂ）〜（Ｄ）は、従来の仕切板の形状を示す説明図である。
【発明を実施するための形態】
【００１８】
以下、本発明の実施の形態を、添付図面に基づいた実施例として詳細に説明する。
【実施例１】
【００１９】
本発明によるダクト型空気調和機は、図１（Ａ）の斜視図で示すように、底板と、同底板の四側周囲に備えられた側板及び吹出ダクトが接続される前面板１ａとからなる上面が開放された箱体１と、同箱体１の開放された上面を覆う天板２とで筐体を構成しており、同筐体の側板及び天板の内側もしくは外側表面には、これら側板及び天板の表面に結露が発生することを防止する断熱材が貼着されている。上面が開放された箱体１の側板には、図示しない複数の吊金具が設けられ、この吊金具が、建屋の天井から垂下された吊りボルトに固定されて、建屋の天井と室内の天井面との間に吊り下げられるようになっている。
【００２０】
上面が開放された箱体１と天板２とからなる筐体内は、図１（Ｂ）の断面図で示すように、仕切板３により送風機室４と熱交換器室５とに区画されている。送風機室４側の筐体の一側には、網目状のグリルを備えた吸込口６が形成されており、同吸込口６には、図示しない吸込ダクトが接続されるようになっている。また、送風機室４には、図１（Ａ）に示すように、３台の送風ファンユニット８が設けられており、これら送風ファンユニット８の中央に、両側に回転軸を突出させたファンモータ９が固定されている。ファンモータ９の回転軸は、後述する送風ファン８１のケーシング８ａ内に収納された回転ブレード８ｃに接続されており、これを回転駆動するようになっている。また、送風ファン８１の吹出ダクト８ｄは、仕切板３を構成する、後述するフランジ部１６に開口された開口部から熱交換器室５に突出して設けられている。尚、送風ファン８１はシロッコファンであり、ケーシング８ａの両側面に吸入口８ｂを備え、筐体の吸込口６から流入してきた空気を同ケーシング８ａの吸入口から吸入し、回転ブレード８ｃによりケーシング８ａ先端部の吹出ダクト８ｄから熱交換器室５に送出するようになっている。
【００２１】
尚、筐体の吸込口６には、上記したように、図示しない吸込ダクトが接続される場合と、接続されない場合があり、必要に応じて使い分けられるようになっている。
【００２２】
熱交換器室５側の筐体の他側には前面板１ａが備えられ、同前面板１ａには、図示しない吹出ダクトが接続される吹出ダクト接続口７が形成されている。同吹出ダクト接続口７に吹出ダクトの一端が接続され、他端は室内天井の開口部に接続されるようになっている。
【００２３】
熱交換器室５には、吹出ダクト接続口７から仕切板３に向かい、下方に傾斜した室内熱交換器１０が設けられている。同室内熱交換器１０は、並列した多数のフィンと、同フィンに直交するように蛇行状に配設された伝熱管とからなり、同伝熱管は配管を介して図示しない室外機に接続されるようになっている。また、熱交換器室５の底面には、室内熱交換器１０の表面で凝縮した凝縮水を受ける露受皿１１が設けられている。ダクト型空気調和機が縦置き設置される際、同露受皿１１の仕切板３側に形成された立ち上がり部１１ａが凝縮水の受け部となっており、これにより、ダクト型空気調和機は、熱交換器室５を上部にした縦置型空気調和機としても使用できるようになっている。尚、露受皿１１に貯留された凝縮水は、図示しない排水菅により、外部に排出されるようになっている。
【００２４】
筐体の吸込口６から吸込まれた空気は、送風機室４の送風ファン８１により熱交換器室５に送出され、室内熱交換器１０で冷媒と熱交換された後、吹出ダクト接続口７に接続された図示しない吹出ダクトを介して室内に吹出され、室内の冷暖房を行うようになっている。
【００２５】
次に、送風ファンを３台とした場合の仕切板３の構成について説明する。図２に示すように、仕切板３は、一端に後述する第一仕切板ブロック１３を配置させ、同第一仕切板ブロック１３の一側に、送風ファン８１と、同送風ファン８１を固定した後述するフランジ部１６からなる送風ファンユニット８のフランジ部１６の一側を、後述する第一仕切板ブロック１３の連結部１３ｅ及びフランジ部１６の連結部１６ａにより連結させている。更に同フランジ部１６の他側に、ファンモータ９の台座９ａを固定した後述するファンモータブロック１２の一側を、連結部１６ａ及び後述するファンモータブロック１２の連結部１２ｆにより連結しており、同ファンモータブロック１２の他側に、更に、送風ファンユニット８のフランジ部１６の一側を、連結部１２ｆ及び連結部１６ａにより連結している。同フランジ部１６の他側は後述する第二ブロック１４の一側に、連結部１６ａ及び後述する第二仕切板ブロック１４の連結部１４ｅにより連結され、同第二仕切板ブロック１４の他側に、送風ファンユニット８のフランジ部１６の一側を、連結部１４ｅ及び連結部１６ａにより連結している。仕切板３の他端となるフランジ部１６の他側には、後述する第三仕切板ブロック１５が、連結部１６ａ及び後述する連結部１５ｅにより連結されている。このように、送風ファンが３台の場合、仕切板３は、第一仕切板ブロック１３と、送風ファンユニット８のフランジ部１６と、ファンモータ９の台座９ａを固定したファンモータブロック１２と、送風ファンユニット８のフランジ部１６と、第二仕切板ブロック１４と、送風ファンユニット８のフランジ部１６と、第三仕切板ブロック１５とを一端から順次、夫々の連結部により連結して構成されるようになっている。そして、このように構成された仕切板３に対し、ファンモータ９がファンモータブロック１２に固定されるようになっている。
【００２６】
上記したように、送風ファンが３台の場合、ファンモータ８１のフランジ部１６と、ファンモータブロック１２と、第一仕切板ブロック１３と、第二仕切板ブロック１４と、第三仕切板ブロック１５からなる夫々、横幅の夫々異なる各種の仕切板ブロックを組み合わせて仕切板３を構成することができるようになっている。
【００２７】
送風ファンユニット８の送風ファン８１は、図３に示すように、シロッコファンから構成され、ケーシング８ａの両側面に吸入口８ｂを備え、筐体の吸込口６から流入してきた空気をケーシング８ａの吸入口８ｂから吸入し、回転する回転ブレード８ｃによりケーシング先端部の吹出ダクト８ｄから熱交換器室５に空気を送出するようになっている。吹出ダクト８ｄは、仕切板３の一部を構成する平板状のフランジ部１６に開口された開口部１６ｃに嵌め込まれるようになっており、同フランジ部１６の両端部は、各種の仕切板ブロックと連結するための連結部１６ａとなっており、同連結部１６ａには螺子が挿通する複数の切欠き１６ｂが設けられている。夫々の送風ファンユニット８は、連結部１６ａの切欠き１６ｂに螺子を挿通させ、後述する第一仕切板ブロック１３、第二仕切板ブロック１４及び第三仕切板ブロック１５の両側辺に設けられた連結部の螺子孔に螺子を螺着させて固定されるようになっている。
【００２８】
次に、ファンモータブロック１２と、各種の仕切板ブロックとなる第一仕切板ブロック１３、第二仕切板ブロック１４及び第三仕切板ブロック１５について説明する。ファンモータブロック１２は送風ファンの台数にかかわらず、常時、使用されるが、第一仕切板ブロック１３、第二仕切板ブロック１４及び第三仕切板ブロック１５は送風ファンの台数に応じて、後述するように各種組み合わせて適宜使用されるようになっている。
【００２９】
送風ファンの台数が異なっても常時使用されるファンモータブロック１２は、図４に示すように、基部１２ａの周囲にファンモータ９の台座を螺子止するための複数の螺子孔１２ｅを穿設するとともに、中央部に、縦状の３本の絞り凹部と、これらを連結するような横状の２本の絞り凹部とからなるビード１２ｄを形成しており、同ビード１２ｄにより重量のあるファンモータ９が固定されても、ファンモータブロック１２に掛かる応力への強度を向上させるようになっている。また、基部１２ａの下辺には箱体１の底面に螺子止される下部フランジ１２ｂと、上辺に折曲して形成され、天板２に螺子止される上部フランジ１２ｃとを備えるとともに、両端部には、複数の螺子孔を穿設した点線で示す連結部１２ｆを備えている。
【００３０】
第一仕切板ブロック１３は、図４に示すように、絞り凹部によるビード１３ｄを形成した基部１３ａと、同基部１３ａの下辺から側辺にかけて折曲して形成され、箱体１の底面と側面とに螺子止される下部フランジ１３ｂと、上辺に折曲して形成され、天板２に螺子止される上部フランジ１３ｃとを備えるとともに、一側に複数の螺子孔を穿設した点線で示す連結部１３ｅを備えている。
【００３１】
第二仕切板ブロック１４は、基部１４ａの中央部に、絞り凹部によるビード１４ｄを形成し、下辺に箱体１の底面に螺子止される下部フランジ１４ｂと、上辺に折曲して形成され、天板２に螺子止される上部フランジ１４ｃとを備えるとともに、両端部には、複数の螺子孔を穿設した点線で示す連結部１４ｅを備えている。
【００３２】
また、第三仕切板ブロック１５は、第一仕切板ブロック１３と同様に、絞り凹部によるビード１５ｄを形成した基部１５ａと、同基部１５ａの下辺から側辺にかけて折曲して形成され、箱体１の底面と側面とに螺子止される下部フランジ１５ｂと、上辺に折曲して形成され、天板２に螺子止される上部フランジ１５ｃとを備えるとともに、一側には、複数の螺子孔を穿設した点線で示す連結部１５ｅを備えている。
【００３３】
上記した第一仕切板ブロック１３、第二仕切板ブロック１４及び第三仕切板ブロック１５は夫々、横幅寸法が異なるように形成されている。
【００３４】
次に、送風ファン台数が４台の場合と２台の場合についての、上記したフランジ部、ファンモータブロック及び仕切板ブロックの組み合わせによる仕切板３の構成について夫々説明する。
【００３５】
送風量と熱交換量とを増加させたい場合は、送風ファンが４台用いられる。図５（Ａ）に示すように、送風ファンが４台の場合は小型でやや横幅の狭い送風ファン２０が用いられ、また、同送風ファン２０は、これに形状を適合させた平板状のフランジ部１７に固定されている。仕切板３は、中央部に、台座９ａを固定したファンモータブロック１２を位置させ、その両側に連結部１２ｆにより、送風ファン２０を固定したフランジ部１７の図示しない連結部とを連結させている、左右の同フランジ部１７は第二仕切板ブロック１４に設けられた連結部１４ｅにより左右一対の同第二仕切板ブロック１４に連結され、同第二仕切板ブロック１４は続いて、送風ファン２０を固定した左右一対のフランジ部１７に連結されるようになっている。また、同フランジ部１７の両側には、連結部１５ｅにより上記した第三仕切板ブロック１５が連結されて、仕切板３が構成されるようになっている。このように構成された仕切板３に対し、ファンモータ９がファンモータブロック１２に固定されるようになっている。
【００３６】
送風ファン台数が２台の場合は、図５（Ｂ）に示すように、大型で幅の広い送風ファン２１が用いられ、また、同送風ファン２１は、これに形状を適合させた平板状のフランジ部１８に固定されている。大型で幅の広い送風ファン２１は、ファンケーシングに収納される回転ブレードの径を小さくする一方、ファンケーシングの横幅寸法を延ばすことで、送風能力を保ちながら、騒音を低減できるようになっている。仕切板３は、中央部に、台座９ａを固定したファンモータブロック１２を位置させ、その両側に、連結部１２ｆにより、フランジ部１８の図示しない連結部が連結されるようになっている。更に、フランジ部１８の両側に、連結部１２ｅにより第一ブロック１３が連結されて仕切板３が構成されるようになっている。送風ファン台数が２台の場合は、上記した第二仕切板ブロック１４及び第三仕切板ブロック１５は未使用となる。このように構成された仕切板３に対し、ファンモータ９がファンモータブロック１２に固定されるようになっている。尚、送風ファンが２台、３台あるいは４台に場合であっても、これに適用される仕切板３の横幅寸法は同等となっている。
【００３７】
次に、効果について説明する。上記したように、形状、能力の異なる送風ファンを２台、３台あるいは４台組み込んで仕切板３を構成する際には、ファンモータ９を固定するファンモータブロック１２と、第一仕切板ブロック１３、第二仕切板ブロック１４及び第三仕切板ブロック１５と、送風ファンユニットのフランジ部とを適宜、組み合わせを変えて連結することにより、送風ファンの台数に対応して、仕切板３を適宜、構成することができるようになっている。通常、送風ファンが２台の場合、３台の場合及び４台の場合に対応するためには、『従来の技術』で説明したように、送風ファンが２台固定できる仕切板４０と、送風ファンが３台固定できる仕切板４１と、送風ファンが４台固定できる仕切板４２というように複数の種類の仕切板を製作する必要があり、これに伴って夫々の仕切板を形成する大型のプレス金型も複数必要となり金型費用が嵩んでしまう。また、これら複数の仕切板４０、仕切板４１、仕切板４２のような大型の仕切板を保管するには広い保管スペースが必要であり、その保管作業も煩雑となってしまう。しかしながら、ファンモータブロック１２、第一仕切板ブロック１３、第二仕切板ブロック１４、第三仕切板ブロック１５及び送風ファンユニットのフランジ部１６〜１８のような小型の構成部品を適宜、組み合わせて仕切板３を構成することにより、これらは夫々小型のプレス金型で製作することができ、金型費用が低減できるとともに、保管スペースが小さくても対応できるようになっている。また、夫々の仕切板ブロックを保管するだけで送風ファン台数の異なる各種の仕切板に対応でき保管作業も容易となっている。
【符号の説明】
【００３８】
１  箱体
２  天板
３  仕切板
４  送風機室
５  熱交換器室
６  吸込口
７  吹出ダクト接続口
８  送風ファンユニット
８１  送風ファン
８ａ  ケーシング
８ｂ  回転ブレード
８ｃ  送出口
９  ファンモータ
１０  室内熱交換器
１１  露受皿
１２  ファンモータブロック
１２ａ  基部
１２ｂ  下部フランジ
１２ｃ  上部フランジ
１２ｄ  ビード
１２ｅ  連結部  
１３  第一仕切板ブロック
１３ａ  基部
１３ｂ  下部フランジ
１３ｃ  上部フランジ
１３ｄ  ビード
１３ｅ  螺子孔
１３ｆ  連結部
１４  第二仕切板ブロック
１４ａ  基部
１４ｂ  下部フランジ
１４ｃ  上部フランジ
１４ｄ  ビード
１４ｅ  連結部
１５  第三仕切板ブロック
１５ａ  基部
１５ｂ  下部フランジ
１５ｃ  上部フランジ
１５ｄ  ビード
１５ｅ  連結部
１６  フランジ部
１６ａ  連結部
１６ｂ  切欠き
１７、１８  フランジ部
２０、２１  送風ファン
【図１】
2011094890.tif 000003
【図２】
2011094890.tif 000004
【図３】
2011094890.tif 000005
【図４】
2011094890.tif 000006
【図５】
2011094890.tif 000007
【図６】
2011094890.tif 000008